(57)【要約】      （修正有）【課題】リーダピンの保持部を外部から透視可能とする。【解決手段】リーダーピン１２が一端に取り付けられた磁気テープ１１と、リーダーピン１２を保持する保持部１８と、リーダーピン１２及び保持部１８とを収納する直方体のケース１９を備える磁気テープカートリッジ１０において、保持部１８を直方体ケース１９の３面に囲まれる角部に配置するとともに、角部には保持部１８を外部から透視可能で、かつリーダーピン１２の所定位置を示すマーキングが施された透明窓１９とを備える。【選択図】図１
2009076128.tif 000002
【特許請求の範囲】
【請求項１】
リーダーピンが一端に取り付けられた磁気テープと、前記リーダーピンを保持する保持部と、該保持部を外部に露出又は隠蔽するように開閉するドアと、前記磁気テープと保持部とドアとを内部に収納する直方体のケースとを備える磁気テープカートリッジであって、
前記ケース内部を外部に透過して見せる透明窓を、前記ケースの保持部を収納した周囲に設けた磁気テープカートリッジ。
【請求項２】
前記保持部が直方体ケースの３面に囲まれる角部に配置され、前記透明窓を前記ケースの角部の少なくとも１面に設けた請求項１記載の磁気テープカートリッジ。
【請求項３】
前記保持部が直方体ケースの３面に囲まれる角部に配置され、前記透明窓が前記ケースの角部の少なくとも３面に設けた請求項１記載の磁気テープカートリッジ。
【請求項４】
前記ドアを、前記ケース内部を外部に透過して見せる透過部材により構成した請求項１から３の何れかに記載の磁気テープカートリッジ。
【請求項５】
前記透明窓に、前記リーダーピンの所定位置を示すマーキングを施した請求項１から４の何れかに記載の磁気テープカートリッジ。
【発明の詳細な説明】
【技術分野】
【０００１】
本発明は、単リールの磁気テープを収納する磁気テープカートリッジに係り、特に磁気テープを容器内部から引き出すためのリーダーピンを外部から目視することができるテープカートリッジに関する。
【背景技術】
【０００２】
近年のコンピュータシステムは、データ容量の増大に伴い、ホストコンピュータに蓄積したデータを外部のバックアップ用記憶装置にバックアップを行うことが行われており、このバックアップ用記憶装置としては、ビット単価が安価であり且つ記憶媒体交換が容易な磁気テープ記憶装置が採用されている。この磁気テープ記憶装置の記憶媒体としては、近年、１２．７ｍｍ幅／３８４トラックの単リールの磁気テープを格納した磁気テープカートリッジが日本工業規格により「ＪＩＳ−Ｘ６１７５」として下記非特許文献の如く規格化されている。
【０００３】
この磁気テープカートリッジは、リーダーピンが付いたリーダテープ及び磁気テープと、該磁気テープ等を捲回したシングルリールハブと、これらを一体的に収納するケースとから構成され、磁気テープ記録再生機構のハンドリング部が前記ケース内のリーダーピンを外部に引き出して磁気ヘッド上にローディングするように案内するものである。
【０００４】
尚、前記交換式の磁気テープカートリッジに関する技術が記載されたものとしては、例えば下記特許文献が挙げられ、この特許文献には、磁気テープカートリッジが磁気テープ記録再生機構に装填されるときのテープリールギヤ歯の噛合技術が記載されている。
【特許文献１】特開２００７−９５１９４号公報
【非特許文献１】日本工業規格の規格番号Ｘ６１７５、"情報技術−情報交換用１２．７ｍｍ幅，３８４−トラック磁気テープカートリッジ−ウルトリウム１様式"、［平成１９年０８月１５日検索］、インターネットＵＲＬ＜http://www.jisc.go.jp/app/JPS/JPSO0020.html＞
【発明の開示】
【発明が解決しようとする課題】
【０００５】
前記磁気テープカートリッジは、前述の如く磁気テープを引き出すためのリーダーピンを内部に収納し、該リーダーピンをケース内の保持部に収納するものであるが、例えば誤って磁気テープカートリッジを落下させて強い振動が与えられたとき、リーダーピンが保持部から外れることがあり、この内部のリーダーピン及び保持部が外部からは容易に目視できないため、磁気テープ記録再生機構に装着した際にハンドリング部が正しくリーダーピンをハンドリングできず、データの記録再生ができなくなる可能性があると言う不具合があった。
【０００６】
本発明の目的は、リードピンが保持部に正しく保持されているか否かを外部から容易に目視することができる磁気テープカートリッジを提供することである。
【課題を解決するための手段】
【０００７】
前記目的を達成するため本発明は、リーダーピンが一端に取り付けられた磁気テープと、前記リーダーピンを保持する保持部と、該保持部を外部に露出又は隠蔽するように開閉するドアと、前記磁気テープと保持部とドアとを内部に収納する直方体のケースとを備える磁気テープカートリッジであって、前記ケース内部を外部に透過して見せる透明窓を、前記ケースの保持部を収納した周囲に設けたことを第１の特徴とする。
【０００８】
また本発明は、前記第１の特徴の磁気テープカートリッジにおいて、前記保持部が直方体ケースの３面に囲まれる角部に配置され、前記透明窓を前記ケースの角部の少なくとも１面に設けたことを第２の特徴とする。
【０００９】
また本発明は、前記第１の特徴の磁気テープカートリッジにおいて、前記保持部が直方体ケースの３面に囲まれる角部に配置され、前記透明窓が前記ケースの角部の少なくとも３面に設けたことを第３の特徴とする。
【００１０】
更に本発明は、前記何れかの特徴の磁気テープカートリッジにおいて、前記ドアを、前記ケース内部を外部に透過して見せる透過部材により構成したことを第４の特徴とする。
【００１１】
更に本発明は、前記何れかの特徴の磁気テープカートリッジにおいて、前記透明窓に、前記リーダーピンの所定位置を示すマーキングを施したことを第５の特徴とする。
【発明の効果】
【００１２】
本発明による磁気テープカートリッジは、リーダーピンを保持する保持部を外部から見えるように透過する透明窓を設けたことよって、リードピンが保持部に正しく保持されているか否かを外部から容易に目視することができる。またリーダピンを外部に露出又は隠蔽するように開閉するドアを透過部材で構成することや、透明窓にリードピンの所定位置を示すマーキングを施すことによって、更にリードピンが保持部に正しく保持されているか否かを外部から容易に目視することができる。
【発明を実施するための最良の形態】
【００１３】
次に本発明による磁気テープカードリッジの一実施形態を図面を参照して詳細に説明する。図１は本実施形態による磁気テープカートリッジを説明するための図、図２は本実施形態による磁気テープカートリッジの側面を示す図、図３は本実施形態による透明窓の平面拡大図である。
【００１４】
本実施形態の対象となる磁気テープカートリッジ１０は、図１に示す如く、捲回した磁気テープ１１と、該磁気テープ１１の端部に一端が接続され、他端にリーダーピン１２が取り付けられたリーダーテープ１５と、該リーダーピン１２を保持して所定の位置に位置決めするための保持部１８と、前記捲回した磁気テープ１１等が取り付けられ、磁気テープ記録再生機構からの駆動力によって回動するリールハブ１４と、これら磁気テープ１１他を一体的に収納し、磁気テープ記録再生機構に挿入される際の位置決め用のノッチ１３及び前記リーダーピン１２を外部に露出又は隠蔽する様に開閉するドア１７（側面のため図示せず）を設けた直方体形状のケース１９とから構成され、前記ドア１７を開けた状態において、リーダーピン１２を図示しない磁気テープ記録再生機構のハンドリング部がリーダーピン１２を引き出し可能な様に構成されている。尚、図１は、磁気テープカートリッジ１０の構成の理解を容易にするために磁気テープ１１等をケース１９の外に図示したものである。
【００１５】
前記保持部１８は、前記リーダーピン１２の垂直方向に延びる軸を収納して保持する概略円筒形状を成し、該円筒形状の一部を垂直方向に欠いた切り欠き部から前記リーダーピン１２の軸を出し入れ自在に構成し、下端がケース１９の素面に接着されており、前記切り欠き部を通してリーダーピン１２の軸が入れられることにより、リーダーピン１２を所定の位置に保持する様に構成されている。
【００１６】
本実施形態による磁気テープカートリッジ１０の透明窓１６は、リーダーピン１２が配置されるケース１９の３面に囲まれる角部の内部を透過する位置に設けられ、該透明窓１６を透してリーダーピン１２及び保持部１８を外部から目視可能に構成している。
【００１７】
前記透明窓１６は、図１に示した磁気テープカートリッジ１０を左側からみた図２に示す如く、保持部１８にリーダーピン１２が垂直に正しく保持されていることを外部から見ることができ、更に上方からケース角部を見た図３に示す如く、上方から見ても、保持部１８にリーダーピン１２が正しく保持されていることを外部から見ることができる。尚、前記ドア１７は図２の矢印Ａ方向に開閉自在であり、透明（透過）部材で構成することが望ましい。
【００１８】
この様に本実施形態による磁気テープカートリッジ１０は、磁気テープ１１を引き出すためのリーダーピン１２をケース内部に保持するための保持部１８を外部から目視可能なケース角部の３面端部を透過する透明窓１６及び透過するドア１７を設けたことによって、リーダーピン１２が保持部１８から外れていることや、垂直に正しく保持されていないことを外部から容易に目視確認することができ、従って磁気テープ記録再生機構に装着した際にハンドリング部が正しくリーダーピンをハンドリングできず、データの記録再生ができなくなることを防止できる。
【００１９】
尚、前記実施形態においては、ケース角部の３面を透過する透明窓を設ける例を説明したが、本発明はこれに限られるものではく、１面又は２面又は４面に設けても良い。また前記実施形態における透明窓は内部を単に透過する例を説明したが、本発明はこれに限られるものではなく、例えばリーダーピン１２の所定位置を示すマーキングをケース角部の２側面に垂直に描き、このマーキングを基準としてリーダーピン１２が所定位置に保持されているか否かを外部２側面方向から認知できるように構成しても良い。このマーキングは、ドアに設けても良い。
【図面の簡単な説明】
【００２０】
【図１】本発明の一実施形態による磁気テープカートリッジの説明図。
【図２】本実施形態による磁気テープカートリッジの側面を示す図。
【図３】本実施形態による透明窓の平面拡大図。
【符号の説明】
【００２１】
１０：磁気テープカートリッジ、１１：磁気テープ、１２：リーダーピン、１３：ノッチ、１４：リールハブ、１５：リーダーテープ、１６：透明窓、１７：ドア、１８：保持部、１９：ケース。
【図１】
2009076128.tif 000003
【図２】
2009076128.tif 000004
【図３】
2009076128.tif 000005